(57)【要約】【課題】本発明は、尿の吸収性に優れる天然素材であるモロヘイヤを有する動物の排泄物処理材を提供することを目的としている。【解決手段】動物の排泄物処理材１は、天然素材を有する本体１０と、この本体１０を全体に亙って覆って本体１０に結着されると共に、粉砕されたモロヘイヤで層を形成したモロヘイヤ層１１と、このモロヘイヤ層１１を全体に亙って覆い、結着材を介してモロヘイヤ層１１に結着されると共に、粉砕された卵殻又は粉砕された綿又はこれら２種を混合して形成された最外層１２とを有している。【選択図】図１
2005065506.tif 000002
【特許請求の範囲】
【請求項１】
天然素材を有する本体と、
この本体を全体に亙って覆って前記本体に結着されると共に、粉砕されたモロヘイヤで層を形成したモロヘイヤ層と、
このモロヘイヤ層を全体に亙って覆い、結着材を介して前記モロヘイヤ層に結着されると共に、粉砕された卵殻又は粉砕された綿又はこれら２種を混合して形成された最外層とを有していることを特徴とする動物の排泄物処理材。
【請求項２】
天然素材を有する本体と、
この本体を全体に亙って覆うと共に、結着材を介して前記本体に結着されると共に、少なくとも、粉砕されたモロヘイヤと、粉砕された卵殻を混合した層を形成した最外層とを有していることを特徴とする動物の排泄物処理材。
【請求項３】
最外層に粉砕された綿を含むことを特徴とする請求項２記載の動物の排泄物処理材。
【発明の詳細な説明】
【０００１】
本発明は、動物の排泄物処理材に係り、特に、尿の吸収性に優れる天然素材であるモロヘイヤを有する動物の排泄物処理材に関する。
【０００２】
【従来の技術】
従来、動物の排泄物処理材、例えば、繊維状に解維された紙、高分子吸収剤、活性炭等を混合し、水を加えて粒状又はペレット状に造粒させたものがある（例えば、特許文献１参照）。
◎
【特許文献１】
特開平９−１７２８９４号公報
【発明が解決しようとする課題】
しかしながら、上述した動物の排泄物処理材には、高分子吸収剤のような化学物質が含まれているため、例えば、埋め立てごみとして放置した場合、分解されず廃棄処分等に支障を来すと共に、動物の排泄物処理材を誤って子供、動物が食した場合、体に害を来すという問題点が生じた。
本発明は、上述した問題点を考慮し、尿の吸収性に優れる天然素材であるモロヘイヤを有する動物の排泄物処理材を提供するものである。
【０００３】
【課題を解決するための手段】
上記目的を達成するために、請求項１記載の動物の排泄物処理材は、天然素材を有する本体と、この本体を全体に亙って覆って前記本体に結着されると共に、粉砕されたモロヘイヤで層を形成したモロヘイヤ層と、このモロヘイヤ層を全体に亙って覆い、結着材を介して前記モロヘイヤ層に結着されると共に、粉砕された卵殻又は粉砕された綿又はこれら２種を混合して形成された最外層とを有している。
【０００４】
また、請求項２記載の動物の排泄物処理材は、天然素材を有する本体と、この本体を全体に亙って覆うと共に、結着材を介して前記本体に結着されると共に、少なくとも、粉砕されたモロヘイヤと、粉砕された卵殻を混合した層を形成した最外層とを有している。
【０００５】
また、請求項３記載の動物の排泄物処理材は、請求項１記載の動物の排泄物処理材において、最外層に粉砕された綿を含むものである。
【０００６】
【実施例】
本発明の一実施例の動物の排泄物処理材について、以下説明する。
１は動物の排泄物処理材で、動物の排泄物処理材１は、図１に示すように、天然素材を有する本体１０と、この本体１０を全体に亙って覆って本体１０に結着されると共に、粉砕されたモロヘイヤで層を形成したモロヘイヤ層１１と、このモロヘイヤ層１１を全体に亙って覆い、結着材（例えば、澱粉）を介してモロヘイヤ層１１に結着されると共に、粉砕された卵殻［又は粉砕された綿、又はこれら２種（粉砕された卵殻と粉砕された卵殻との混合）］を混合して形成された最外層１２とを有している。
なお、本体１０とモロヘイヤ層１１とは、本体１０に水分があれば、モロヘイヤ層１１は本体１０に付着するが、モロヘイヤ層１１を結着材（例えば、澱粉）を介して本体１０に結着するようにしても良い。
【０００７】
天然素材を有する本体１０は、例えば、緑茶の清涼飲料水を製造する際、生じる廃棄される茶殻、コ−ヒ−液を抽出した際、生じるコ−ヒ−液抽出残渣等である。本体１０を茶殻、コ−ヒ−液抽出残渣で形成すると、本体１０を覆うモロヘイヤ層１１を形成するモロヘイヤの匂いを吸収する利点を有する。
本体１０は、例えば、茶殻を直径３ｍｍ以下程度に粉砕し、粉砕した茶殻を結着材を介して形成される。
なお、結着材は、例えば、澱粉である。本体１０には茶殻の他にペ−パ−スラッジを含むようにしても良い。
【０００８】
次に、本体１０を全体に亙って覆い、結着材（例えば、澱粉）を介して本体１０に結着されると共に、粉砕されたモロヘイヤで層を形成する（モロヘイヤ層１１）。
このモロヘイヤ層１１を形成するモロヘイヤは、例えば、６０メッシュ〜  ２００メッシュ程度に粉砕し、粉砕したモロヘイヤを結着材を介してモロヘイヤ層１１が形成される。
なお、結着材は、例えば、澱粉である。モロヘイヤ層１１を形成するモロヘイヤは、水を良く吸収すると共に、水を含むとゼリ状となって、他のものと付着して小塊状となり易い。
【０００９】
次に、モロヘイヤ層１１を全体に亙って覆う最外層１２を形成する。最外層１２は、モロヘイヤ層１１を全体に亙って覆い、澱粉を介してモロヘイヤ層１１に結着されると共に、粉砕された卵殻で形成する。
動物の排泄物処理材１は、例えば、本体１０が８５重量％〜９０重量％、モロヘイヤが３重量％〜５重量％、卵殻が３重量％〜５重量％、澱粉が３重量％〜５重量％である。
なお、粉砕された卵殻の代わりに、粉砕された綿でも良く、又は、粉砕された卵殻と粉砕された綿を混合した層で形成しても良い。この場合、動物の排泄物処理材１は、例えば、本体１０が８５重量％〜９０重量％、モロヘイヤが３重量％〜５重量％、卵殻が１．５重量％〜２．５重量％、綿が１．５重量％〜２．５重量％、澱粉が３重量％〜５重量％である。
【００１０】
このようにして形成された動物の排泄物処理材１を多数、図２に示す容器２０に入れて使用すれば、動物から排泄される尿は最外層１２を介して流入し、モロヘイヤ層１１により吸収され、最外層１２に含まれる結着材（例えば、澱粉）により隣接する動物の排泄物処理材１同士が付着して小塊状となり、処理し易くなる。
特に、モロヘイヤは多量の尿を吸収でき、高分子吸収剤のような化学物質でなく天然素材であるため、焼却、廃棄処分等が便利である。なお、モロヘイヤは有効であるが、反面、モロヘイヤは白色でないため、動物の排泄物処理材１として違和感を与えるため、粉砕された卵殻又は粉砕された綿又はこれら２種を混合して形成された白色の最外層１２でモロヘイヤ層１１を覆って、違和感を与えないようにしている。更に、最外層１２に卵殻を含む場合、卵殻の多孔質によりモロヘイヤ独特の匂いを吸収することができると共に、動物の排泄物処理材１の粒に重みを持たせ、動物、例えば、猫が排泄した後、動物の排泄物処理材１の粒を足でかける際、動物の排泄物処理材１の粒が周囲に飛散しないようにすることができる。
【００１１】
上述の実施例の動物の排泄物処理材１では、本体１０と、この本体１０の外側に位置するモロヘイヤ層１１と、このモロヘイヤ層１１の外側に位置する最外層１２と、３層構造としたが、本願発明にあってはこれに限らず、２層構造としても良い。
即ち、図３に示す動物の排泄物処理材１は、天然素材を有する本体１０と、この本体１０を全体に亙って覆うと共に、澱粉を介して本体１０に結着されると共に、少なくとも、粉砕されたモロヘイヤと、粉砕された卵殻を混合した層で形成した最外層１２’とを有している。
動物の排泄物処理材１は、例えば、本体１０が８５重量％〜９０重量％、モロヘイヤが３重量％〜５重量％、卵殻が３重量％〜５重量％、澱粉が３重量％〜５重量％である。
【００１２】
この実施例の動物の排泄物処理材１によれば、上述の実施例と同様に、動物から排泄される尿は最外層１２’のモロヘイヤにより吸収され、最外層１２’に含まれる澱粉、モロヘイヤにより隣接する動物の排泄物処理材１同士が付着して小塊状となり、処理し易くなる。
特に、モロヘイヤは多量の尿を吸収でき、高分子吸収剤のような化学物質でなく天然素材であるため、焼却、廃棄処分等が便利である。なお、モロヘイヤは有効であるが、反面、モロヘイヤは白色でないため、動物の排泄物処理材１として違和感を与えるため、粉砕された卵殻の白色によりモロヘイヤの色をおさえることができ、違和感を与えないようにしている。更に、最外層１２’に卵殻を含むため、卵殻の多孔質によりモロヘイヤ独特の匂いを吸収することができる。
なお、最外層１２’に粉砕された綿を含むようにしても良い。
【００１３】
【発明の効果】
請求項１記載の動物の排泄物処理材によれば、動物から排泄される尿は最外層を介して流入し、モロヘイヤ層により吸収され、最外層に含まれる結着材により隣接する動物の排泄物処理材同士が付着して小塊状となり、処理し易くなる。
特に、モロヘイヤは多量の尿を吸収でき、高分子吸収剤のような化学物質でなく天然素材であるため、廃棄処分等が便利である。なお、モロヘイヤは有効であるが、反面、モロヘイヤは白色でないため、動物の排泄物処理材として違和感を与えるため、粉砕された卵殻又は粉砕された綿又はこれら２種を混合して形成された白色の最外層でモロヘイヤ層を覆って、違和感を与えないようにしている。更に、最外層に卵殻を含む場合、卵殻の多孔質によりモロヘイヤ独特の匂いを吸収することができる。
【００１４】
また、請求項２記載の排泄物処理材によれば、動物から排泄される尿は最外層のモロヘイヤにより吸収され、最外層に含まれる結着材、モロヘイヤにより隣接する動物の排泄物処理材同士が付着して小塊状となり、処理し易くなる。
特に、モロヘイヤは多量の尿を吸収でき、高分子吸収剤のような化学物質でなく天然素材であるため、廃棄処分等が便利である。なお、モロヘイヤは有効であるが、反面、モロヘイヤは白色でないため、動物の排泄物処理材として違和感を与えるため、粉砕された卵殻の白色によりモロヘイヤの色をおさえることができ、違和感を与えないようにしている。更に、最外層に卵殻を含むため、卵殻の多孔質によりモロヘイヤ独特の匂いを吸収することができる。
【図面の簡単な説明】
【図１】図１は、本発明の一実施例の排泄物処理材の概略的断面図である。
【図２】図２は、図１の排泄物処理材の使用状態を示す概略的断面図である。
【図３】図３は、図１の実施例と異なる他の実施例の排泄物処理材の概略的断面図である。
【符号の説明】
１  ・・・・・動物の排泄物処理材
１０  ・・・・・本体
１１  ・・・・・モロヘイヤ層
１２  ・・・・・最外層
【図１】
2005065506.tif 000003
【図２】
2005065506.tif 000004
【図３】
2005065506.tif 000005